(57)【要約】【課題】モールド部の外観不良および回路基板の導通不良を生じさせない電機子ユニット、電機子ユニットの製造方法、および、この電機子ユニットを備えたモータおよびポンプを提供すること。【解決手段】電機子ユニット１０のモールド部４０は、回路基板３０の周囲を覆う第一モールド部４１と第一モールド部４１の周囲を覆い、且つ、電機子２０の全体を覆う第二モールド部４２とから構成されている。この第一モールド部４１を低圧状態にて成形されることにより、モールドする際に回路基板３０の反りや割れを防止することができる。そして、この第一モールド部４１の周囲を第二モールド部４２によって覆うことにより、回路基板３０は外部からの露出を完全に防止することができ、外部からの油や水等が回路基板３０に付着することによって発生する電気的短絡を防止することができる。【選択図】図１
2008109848.tif 000002
【特許請求の範囲】
【請求項１】
電機子と、回路基板と、該電機子及び該回路基板とを覆う絶縁部とを備える電機子ユニットであって、
前記電機子は、薄板の磁性鋼板を複数積層して形成された円環状のステータコアと、該ステータコアに導電線を巻回することによって形成されるコイルとを有し、
前記回路基板は、前記ステータコアの積層方向の一端側に配置されると共に、前記コイルの端部が電気的に接続され、
前記絶縁部は、少なくとも前記回路基板における実質的に周囲全体に密着して設けられる第一絶縁層と、少なくとも前記回路基板に対する前記積層方向の一端側又は他端側にある前記第一絶縁層に密着して設けられる第二絶縁層とを有する、
ことを特徴とする電機子ユニット。
【請求項２】
前記第一絶縁層は、前記電機子と前記回路基板とが配置された第一金型に、溶融した第一絶縁材料を射出した後、固化させることによって形成され、
前記第二絶縁層は、前記電機子、前記回路基板、及び前記第一絶縁層からなる中間組立体が配置された第二金型に、溶融した第二絶縁材料を射出した後、固化させることによって形成されていることを特徴とする請求項１に記載の電機子ユニット。
【請求項３】
溶融した前記第一絶縁材料が前記第一金型に射出される時の射出圧は、溶融した前記第二絶縁材料が前記第二金型に射出される時の射出圧よりも小さいことを特徴とする請求項２に記載の電機子ユニット。
【請求項４】
前記第二絶縁層は、前記第一絶縁層に加えて、前記電機子の磁極面を除いた実質的に周囲全体に密着することを特徴とする請求項１乃至３の何れかに記載の電機子ユニット。
【請求項５】
前記第二絶縁層は、前記第一絶縁層に加えて、前記電機子の実質的に周囲全体に密着することを特徴とする請求項１乃至３の何れかに記載の電機子ユニット。
【請求項６】
前記第一絶縁層は、前記回路基板に加えて前記電機子の磁極面を除いた実質的に周囲全体に密着することを特徴とする請求項１乃至３の何れかに記載の電機子ユニット。
【請求項７】
前記第一絶縁層は、前記回路基板に加えて前記電機子の実質的に周囲全体に密着することを特徴とする請求項１乃至３の何れかに記載の電機子ユニット。
【請求項８】
前記第一絶縁層は、前記回路基板の一部を露出する孔部を有し、
前記第二絶縁層は、前記孔部を介して前記回路基板の一部に密着することを特徴とする請求項１乃至７の何れかに記載の電機子ユニット。
【請求項９】
前記第一または第二絶縁層には、前記第一または第二金型のゲートによって形成されるゲート跡が、前記電機子における積層方向の他端側、前記電機子の内周側及び外周側の何れかに設けられていることを特徴とする請求項２乃至８の何れかに記載の電機子ユニット。
【請求項１０】
前記第一絶縁層には、熱可塑性樹脂が用いられることを特徴とする請求項１乃至９の何れかに記載の電機子ユニット。
【請求項１１】
前記第二絶縁層には、熱硬化性樹脂が用いられることを特徴とする請求項１乃至１０の何れかに記載の電機子ユニット。
【請求項１２】
前記熱硬化性樹脂は、ＢＭＣ（Bulk Molding Compound）であることを特徴とする請求項１１に記載の電機子ユニット。
【請求項１３】
前記第二絶縁層には、エラストマーが用いられることを特徴とする請求項１乃至１２の何れかに記載の電機子ユニット。
【請求項１４】
薄板の磁性鋼板を複数積層して形成された円環状のステータコアと、該ステータコアに導電線を巻回することによって形成されるコイルと、を有する電機子と、
前記ステータコアの積層方向の一端側に配置されると共に、前記コイルの端部が電気的に接続される回路基板と、
少なくとも前記回路基板における実質的に周囲全体に密着して設けられる第一絶縁層と、少なくとも前記回路基板に対する前記積層方向の一端側又は他端側にある前記第一絶縁層に密着して設けられる第二絶縁層とを有する絶縁部と、
を備える電機子ユニットの製造方法であって、
第一金型に、前記電機子と前記回路基板とを配置する第一配置工程と、
前記電機子と前記回路基板とが配置された前記第一金型に、溶融した絶縁材料を射出した後、固化させることによって、前記第一絶縁層を成形する第一成形工程と、
第二金型に、前記電機子、前記回路基板、及び前記第一絶縁層からなる中間組立体を配置する第二配置工程と、
前記中間組立体を配置した前記第二金型に、溶融した絶縁材料を射出した後、固化させることによって、前記第二絶縁層を成形する第二成形工程と、
を備えることを特徴とする電機子ユニットの製造方法。
【請求項１５】
前記第一配置工程では、前記回路基板が、前記第一金型に設けられた支持部によって支持され、
前記中間組立体には、前記支持部に対応する部位に、前記回路基板が露出する孔部が形成され、
前記第二成形工程における前記絶縁材料が、前記孔部にも流れ込んでいることを、特徴とする請求項１４に記載の電機子ユニットの製造方法。
【請求項１６】
前記第一または第二成形工程では、前記第一または第二金型のゲートが、前記積層方向の他端側、前記ステータコアの内周側、及び前記ステータコアの外周側の何れかに対向していることを特徴とする請求項１４または１５に記載の電機子ユニットの製造方法。
【請求項１７】
請求項１乃至１３の何れかに記載の電機子ユニットを備えたモータであって、
前記電機子ユニットの磁極面と対向して、前記電機子ユニットに対して回転するロータマグネットを有する回転部と、
前記回転部を回転自在に支持する軸受部と、
を備えることを特徴とするモータ。
【請求項１８】
請求項１乃至請求項１３の何れかに記載の電機子ユニットを備えたポンプであって、
前記電機子ユニットの磁極面と対向して、前記電機子ユニットに対して回転するロータマグネットを有する回転部と、
外部からの液体が流入する流入口と、該液体を外部へ流出する流出口と、をそれぞれ少なくとも一つ有し、前記流入口からの前記液体を前記流出口に流す流路を形成するポンプ室と、
前記ポンプ室に配置され、前記回転部とともに回転することによって前記液体に流れを形成させるインペラと、
を備えることを特徴とするポンプ。
【発明の詳細な説明】
【技術分野】
【０００１】
本発明は、電機子と回路基板とをモールドによって一体とした電機子ユニット、この電機子ユニットの製造方法、および、この電機子ユニットを備えたモータおよびポンプに関する。
【背景技術】
【０００２】
従来から、電機子の制振対策や防水対策のために電機子の周囲全体を樹脂材料が密着してモールドする構造が採用されている（例えば、特許文献１、２、３参照）。そして電機子と電気的接続を行う回路基板の外部による電気的短絡の対策のために電機子と一体的にモールドされてなる電機子ユニットの構造が採用されている（このような従来の電機子ユニットの構造の例として、例えば、特許文献４参照）。
【０００３】
特許文献４のような従来の電機子ユニットの構造について図８を参照して説明する。図８は、電機子ユニットの積層方向の断面を示した模式図である。
【０００４】
図８を参照して、電機子ユニット１は、ステータコア２ａに導電線を巻回して形成したコイル２ｂを有する電機子２と、電機子２の下側に配置された樹脂材料にて形成された回路基板３と、電機子２と回路基板３とを一体的にモールドするモールド部４と、から構成される。
【０００５】
【特許文献１】特開平７−７５２８０号公報
【特許文献２】特開平８−１０４７９７号公報
【特許文献３】特開２００３−３３３７８７号公報
【特許文献４】特開２００３−４７１８９号公報
【発明の開示】
【発明が解決しようとする課題】
【０００６】
しかしながら、電機子２と回路基板３とを樹脂材料によって一体的にモールドする場合、特にモールド部４が製品として外部に露出する場合、モールド部４の外観を良くするために、高温度および高圧力にてモールドする必要がある。この高温度および高圧力にて回路基板３をモールドすると、溶融した樹脂材料が射出された時の射出圧が回路基板に加わり、回路基板３に反りや変形を生じてしまう可能性がある。その結果、回路基板３に実装された電子部品（不図示）と回路基板３との電気的接続の不良や、回路基板３に形成された配線パターン（不図示）に割れが生じてしまい、回路基板３の導通不良を引き起こす可能性がある。さらに高温度にて回路基板３をモールドすると、電子部品の耐熱温度を越してしまい、電子部品自体が故障してしまう可能性がある。
【０００７】
一方、モールド部４を低温度および低圧力にて形成する場合、モールド部４の外観が良くなく、製品の外観不良として扱われてしまう。
【０００８】
また、電機子２と回路基板３からなる組立体を上述のようにモールドする構成では、モールド時に使用する金型の構造や成形不良が原因となって、モールド部４が回路基板３の周囲全体を完全に覆えないことがある（回路基板３がモールド部４によって完全に覆われていないと、制振対策や防水対策が不十分となり、モールド構造を適用したことによる利点が十分に得られない）。そのため、モールド部４が完成した後に、そのモール部４に回路基板３が露出して外気に触れないようにするための後処理（例えば、露出箇所を樹脂材料にて埋める作業。）が必要となり、製造コストがアップする。
【０００９】
本発明は、上記問題を鑑みてなされたものであり、その目的とするところは、モールド部の外観不良および回路基板の導通不良等を生じさせない電機子ユニット、電機子ユニットの製造方法、および、この電機子ユニットを備えたモータおよびポンプを提供することである。
【課題を解決するための手段】
【００１０】
本発明は、電機子と回路基板とこれらを覆う絶縁部からなる組立体において、その絶縁部は、少なくとも回路基板の周囲全体を覆うように二層の絶縁層から構成されるようにする。
【００１１】
本発明の請求項１によれば、電機子と、回路基板と、該電機子及び該回路基板とを覆う絶縁部とを備える電機子ユニットであって、前記電機子は、薄板の磁性鋼板を複数積層して形成された円環状のステータコアと、該ステータコアに導電線を巻回することによって形成されるコイルとを有し、前記回路基板は、前記ステータコアの積層方向の一端側に配置されると共に、前記コイルの端部が電気的に接続され、前記絶縁部は、少なくとも前記回路基板における実質的に周囲全体に密着して設けられる第一絶縁層と、少なくとも前記回路基板に対する前記積層方向の一端側又は他端側にある前記第一絶縁層に密着して設けられる第二絶縁層を有する、ことを特徴とする。
【００１２】
本発明の請求項１に従えば、少なくとも回路基板を二重の絶縁層で覆うことができる。したがって、回路基板は完全に外部から露出することを防ぐことができる。その結果、外部からの油や水等が回路基板上に付着することによって発生する電気的短絡を防ぐことができる。したがって、信頼性の高い電機子ユニットを提供することができる。
【００１３】
本発明の請求項２によれば、請求項１に係り、前記第一絶縁層は、前記電機子と前記回路基板とが配置された第一金型に、溶融した第一絶縁材料を射出した後、固化させることによって形成され、前記第二絶縁層は、前記電機子、前記回路基板、及び前記第一絶縁層からなる中間組立体が配置された第二金型に、溶融した第二絶縁材料を射出した後、固化させることによって形成されていることを特徴とする。
【００１４】
本発明の請求項２に従えば、第一及び第二絶縁層を容易に形成することができる。
【００１５】
本発明の請求項３によれば、請求項２に係り、溶融した前記第一絶縁材料が前記第一金型に射出される時の射出圧は、溶融した前記第二絶縁材料が前記第二金型に射出される時の射出圧よりも小さいことを特徴とする。
【００１６】
本発明の請求項３によれば、第一絶縁層を形成するのに、回路基板に過剰な応力を与えずることなく第一絶縁層を形成することができる。したがって、回路基板の反りや割れ、さらには実装部品の電気的不良などを防止することができる。
【００１７】
本発明の請求項４によれば、請求項１乃至３のいずれかに係り、前記第二絶縁層は、前記第一絶縁層に加えて、前記電機子の磁極面を除いた実質的に周囲全体に密着することを特徴とする。
【００１８】
本発明の請求項４に従えば、第二絶縁層が電機子の磁極面に密着しないことによって、磁極面と対向する部材との間隙を狭くすることができる。
【００１９】
本発明の請求項５によれば、請求項１乃至３の何れかに係り、前記第二絶縁層は、前記第一絶縁層に加えて、前記電機子の実質的に周囲全体に密着することを特徴とする。
【００２０】
本発明の請求項５に従えば、第二絶縁層によって、電機子の実質的に周囲全体を絶縁層で覆うのに、第二絶縁層以外の部材の追加や表面処理を行う必要がない。
【００２１】
本発明の請求項６によれば、請求項１乃至３の何れかに係り、前記第一絶縁層は、前記回路基板に加えて前記電機子の磁極面を除いた実質的に周囲全体に密着することを特徴とする。
【００２２】
本発明の請求項６に従えば、第一絶縁層が電機子の磁極面に密着しないことによって、磁極面と対向する部材との間隙を狭くすることができる。
【００２３】
本発明の請求項７によれば、請求項１乃至３の何れかに係り、前記第一絶縁層は、前記回路基板に加えて前記電機子の実質的に周囲全体に密着することを特徴とする。
【００２４】
本発明の請求項７によれば、第一絶縁層によって、電機子の実質的に周囲全体を絶縁層で覆うのに、第一絶縁層以外の部材の追加や表面処理を行う必要がない。
【００２５】
本発明の請求項８によれば、請求項１乃至７の何れかに係り、前記第一絶縁層は、前記回路基板の一部を露出する孔部を有し、前記第二絶縁層は、前記孔部を介して前記回路基板の一部に密着することを特徴とする。
【００２６】
本発明の請求項８に従えば、第二絶縁層によって、回路基板はより一層完全に外部から露出することを防ぐことができる。
【００２７】
本発明の請求項９によれば、請求項２乃至８の何れかに係り、前記第一または第二絶縁層には、前記第一または第二金型のゲートによって形成されるゲート跡が、前記電機子における積層方向の他端側、前記電機子の内周側及び外周側の何れかに設けられていることを特徴とする。
【００２８】
本発明の請求項９に従えば、第一または第二絶縁層を形成するのに、回路基板に過剰な応力を与えずることなく第一または第二絶縁層を形成することができる。したがって、回路基板の反りや割れ、さらには実装部品の電気的不良などを防止することができる。
【００２９】
本発明の請求項１０によれば、請求項１乃至９の何れかに係り、前記第一絶縁層には、熱可塑性樹脂が用いられることを特徴とする。
【００３０】
本発明の請求項１０に従えば、第一絶縁層に熱可塑性樹脂が用いられることによって、第二絶縁層を設けるのに際に第一絶縁層を加熱すると、第一絶縁層の表面が溶融することによって、第一絶縁層と第二絶縁層との密着性が向上することができる。したがって、第一絶縁層と第二絶縁層との境界を完全に塞ぐことができる。
【００３１】
本発明の請求項１１によれば、請求項１乃至１０の何れかに係り、前記第二絶縁層には、熱硬化性樹脂が用いられることを特徴とする。
【００３２】
本発明の請求項１２によれば、請求項１１に係り、前記熱硬化性樹脂は、ＢＭＣ（Bulk Molding Compound）であることを特徴とする。
【００３３】
本発明の請求項１１および１２に従えば、熱硬化性樹脂を第二絶縁層に用いることによって、外部の熱によって第二絶縁層が変形することを抑えることができる。特にＢＭＣを用いることによって、電機子ユニットの放熱性を向上させることができる。
【００３４】
本発明の請求項１３によれば、請求項１乃至１２の何れかに係り、前記第二絶縁層には、エラストマーが用いられることを特徴とする。
【００３５】
本発明の請求項１３に従えば、第二絶縁層を、比較的簡易な設備により形成することができる。
【００３６】
本発明の請求項１４によれば、薄板の磁性鋼板を複数積層して形成された円環状のステータコアと、該ステータコアに導電線を巻回することによって形成されるコイルと、を有する電機子と、前記ステータコアの積層方向の一端側に配置されると共に、前記コイルの端部が電気的に接続される回路基板と、少なくとも前記回路基板における実質的に周囲全体に密着して設けられる第一絶縁層と、少なくとも前記回路基板に対する前記積層方向の一端側又は他端側にある前記第一絶縁層に密着して設けられる第二絶縁層とを有する絶縁部と、を備える電機子ユニットの製造方法であって、第一金型に、前記電機子と前記回路基板とを配置する第一配置工程と、前記電機子と前記回路基板とが配置された前記第一金型に、溶融した絶縁材料を射出した後、固化させることによって、前記第一絶縁層を成形する第一成形工程と、第二金型に、前記電機子、前記回路基板、及び前記第一絶縁層からなる中間組立体を配置する第二配置工程と、前記中間組立体を配置した前記第二金型に、溶融した絶縁材料を射出した後、固化させることによって、前記第二絶縁層を成形する第二成形工程と、を備えることを特徴とする。
【００３７】
本発明の請求項１４に従えば、少なくとも回路基板を二重の絶縁層で覆うことができる電機子ユニットを容易に形成することができる。つまり、この電機子ユニットは、回路基板は完全に外部から露出することを防ぐことができ、その結果、外部からの油や水等が回路基板上に付着することによって発生する電気的短絡を防ぐことができることから、信頼性が高い電機子ユニットを容易に形成することができる。
【００３８】
本発明の請求項１５によれば、請求項１４に係り、前記第一配置工程では、前記回路基板が、前記第一金型に設けられた支持部によって支持され、前記中間組立体には、前記支持部に対応する部位に、前記回路基板が露出する孔部が形成され、前記第二成形工程における前記絶縁材料が、前記孔部にも流れ込んでいることを、特徴とする。
【００３９】
本発明の請求項１５に従えば、第一配置工程において、回路基板を支持する支持部を設けることによって、第一絶縁層を成形する際に、溶融した絶縁材料の流れによって回路基板が移動することを防ぐことができる。さらに第一絶縁層には、支持部に対応して孔部が形成されるが、第二成形工程において、この孔部に溶融した絶縁材料が流れ込むので、回路基板が外部に露出することを防ぐことができる。
【００４０】
本発明の請求項１６によれば、請求項１４または１５に係り、前記第一または第二成形工程では、前記第一または第二金型のゲートが、前記積層方向の他端側、前記ステータコアの内周側、及び前記ステータコアの外周側の何れかに対向していることを特徴とする。
【００４１】
本発明の請求項１６に従えば、第一または第二絶縁層を形成するのに、回路基板に過剰な応力を与えずることなく第一または第二絶縁層を形成することができる。したがって、回路基板の反りや割れ、さらには実装部品の電気的不良などを防止することができる。
【００４２】
本発明の請求項１７によれば、請求項１乃至１３の何れかに記載の電機子ユニットを備えたモータであって、前記電機子ユニットの磁極面と対向して、前記電機子ユニットに対して回転するロータマグネットを有する回転部と、前記回転部を回転自在に支持する軸受部と、を備えることを特徴とする。
【００４３】
本発明の請求項１７に従えば、回路基板に電気的短絡のない、信頼性の高いモータを提供することができる。
【００４４】
本発明の請求項１８によれば、請求項１乃至請求項１３の何れかに記載の電機子ユニットを備えたポンプであって、前記電機子ユニットの磁極面と対向して、前記電機子ユニットに対して回転するロータマグネットを有する回転部と、外部からの液体が流入する流入口と、該液体を外部へ流出する流出口と、をそれぞれ少なくとも一つ有し、前記流入口からの前記液体を前記流出口に流す流路を形成するポンプ室と、前記ポンプ室に配置され、前記回転部とともに回転することによって前記液体に流れを形成させるインペラと、を備えることを特徴とする。
【００４５】
本発明の請求項１８によれば、回路基板に電気的短絡のない、信頼性の高いポンプを提供することができる。
【発明の効果】
【００４６】
本発明によれば、絶縁部の外観不良および回路基板の導通不良が生じない信頼性の高い電機子ユニット、電機子ユニットの製造方法、および、この電機子ユニットを備えたモータおよびポンプを提供することができる。
【発明を実施するための最良の形態】
【００４７】
＜電機子ユニットの全体構造＞
本発明の電機子ユニットの全体構造の実施例の一形態として図１を参照して説明する。図１は、電機子ユニットの実施例の一形態を軸方向に切った模式断面図である。ここで図１の軸方向とは、軸Ｊ１に沿った方向である。また以下明細書中の上側および下側の表現は、図中の表現であり、重力方向を規定したものではない。
【００４８】
図１を参照して、電機子ユニット１０は、電機子２０と、電機子２０の軸方向下側に配置された回路基板３０と、電機子２０と回路基板３０とを覆うモールド部４０（絶縁部に相当）と、を備える。
【００４９】
電機子２０は、薄板の磁性鋼板を所定の軸Ｊ１の軸方向に積層して形成されたステータコア２１と、ステータコア２１に導電線を複数積層して巻回されて形成されたコイル２２と、ステータコア２１とコイル２２との間に配置され、ステータコア２１の軸方向両側より挿入されることによってステータコア２１とコイル２２との電気的絶縁を図るインシュレータ２３と、を備える。
【００５０】
ステータコア２１には、所定軸を中心とした円環形状に形成されるコアバック部２１ａと、コアバック部２１ａから所定軸に向かい延びた周方向に間隙を介して複数形成されたティース部２１ｂと、を有する。そして導電線は、ティース部２１ｂに巻回されてコイル２２を形成する。またティース部２１ｂの内周面は磁極面を形成する。
【００５１】
インシュレータ２３は、電気的絶縁性を有する樹脂材料にて成形され、ステータコア２１を軸方向両側より挿入する二つの部材にて構成される。そしてインシュレータ２３は、ティース部２１ｂの内周面以外の外面、およびコアバック部２１ａの軸方向端面の内周側と内周面とを覆う。またインシュレータ２３には、コイル２２を形成した導電線の端部と電気的および機械的接続をされるピン（不図示）を有する。そしてインシュレータ２３には、コイル２２の径方向内側および径方向外側には、コイル２２の巻き崩れを防ぐ内周壁２３ａおよび外周壁２３ｂがそれぞれ設けられる。
【００５２】
回路基板３０は、ガラスエポキシ樹脂および紙フェノール樹脂等の樹脂材料にて形成され、表面には電子回路を構成する導通パターンが設けられている。また、回路基板には、導通パターンの所定部に集積回路３１等の電子部品が半田付けにより実装されている。また、回路基板３０は、電機子２０のピンの端部と半田付けされ、これにより、電機子２０と回路基板３０との電気的接続が行われている。また回路基板３０は、インシュレータ２３の外周壁２３ｂと当接することによって軸方向の位置が決定される。さらに回路基板３０には、電源線（不図示）が接続され、外部電源に向けて引き出されている。
【００５３】
モールド部４０は、回路基板３０の周囲全体および回路基板３０側に形成されるステータコア２１よりも回路基板３０側のコイル２２およびインシュレータ２３に密着している樹脂材料からなる第一モールド部４１（第一絶縁層に相当）と、第一モールド部４１の外面および電機子２０の磁極面以外の周囲全体に密着している樹脂材料からなる第二モールド部４２（第二絶縁層に相当）と、から構成される。ここで、第一モールド部４１は、少なくとも回路基板３０の周囲全体を覆う形状であればよい。また、電源線を外部に引き出すために、回路基板または電機子の周囲に第一または第二モールド部が存在しない部位が形成されたとしても、電源線または電源線を囲むブッシング部材の周囲に第一または第二モールド層が密着していれば、第一または第二モールド部は回路基板または電機子を実質的に覆っていると見なす。
【００５４】
第二モールド部４２が第一モールド部４１の外面を覆う形状であることにより、第一モールド部４１に樹脂材料が充填されていない箇所（後述する貫通孔４１ａ）や巣によって微小な穴が形成されたとしても、第二モールド部４２により、これらを全て封止することができる。つまり、回路基板３０は、第一及び第二モールド部４１、４２の二層の絶縁層によって周囲全体が覆われているため、回路基板３０に外部から水や油等の微小な物質が付着することによって発生する電気的短絡を防ぐことができる。したがって、信頼性の高い電機子ユニットを提供することができる。
【００５５】
また第一モールド部４１には、熱可塑性樹脂が使用されることが望ましい。第一モールド部４１に熱可塑性樹脂を用いることにより、第一モールド部４１の外面に第二モールド部４２を形成する際の熱によって第一モールド部４１の少なくとも表面が溶融して第二モールド部４２との密着性を向上させることができる。そして第一モールド部４１は、第二モールド部４２によって覆われ、製品として外部に露出することはなくなるので、低温度および低圧力にて成形することが望ましい。つまり、溶融した樹脂材料を、低温度及び低圧力で所定の金型に射出すると、成形不良が発生しやすいが、回路基板３０に応力を加えることなく第一モールド部４１を成形することができる。仮に第一モールド部４１に成形不良として巣ができる等しても、第二モールド部４２によって覆われることから、外観を良好に保つことができると共に、回路基板３０に導通不良を発生させることなくモールドすることができるので、信頼性の高い電機子ユニットを提供することができる。
【００５６】
第二モールド部４２は、熱硬化性樹脂にて成形されることが望ましい。製品の外観の役割を果たす第二モールド部４２が熱硬化性樹脂にて成形されることにより、外部の熱によって第二モールド部４２が変形することを防ぐことができる。また特に外観を良くするために高温度および高圧力にて成形することが望ましい。特に熱硬化性樹脂としてＢＭＣ（Bulk Molding Compound）を用いることが望ましい。このＢＭＣは放熱性や吸振性に優れた材料であるので、電機子２０の振動の吸収およびコイル２２が発する熱の発散を促進することができる、しかもＢＭＣは表面硬さ特性もよいので、表面に傷が付きにくい外観の良い電機子ユニットを提供することができる。また、第二モールド部４２は、エラストマーにて成形されてもよい。エラストマーは弾性を有するため、電機子ユニット１０を組み込んだ時に、電機子ユニット１０から発生する振動を吸収することができる。特に熱可塑性エラストマーを用いると、比較的簡易な設備により形成することができる。なお、前述した第一モールド部４２の成形条件として低温度および低圧力、第二モールド部４３の成形条件として高温度および高圧力に関して、何れも一般的な成形条件と比較して高低を例示したものであって、特定の範囲を限定するものではないが、種々の条件を考慮すると、第一モールド部４２は第二モールド４１よりも低温度および低圧力で成形されるのが望ましい。
【００５７】
次に電機子ユニットの他の実施例の一形態として図２を参照して説明する。本実施例は、前述の実施例との相違点を中心に説明し、同一または相当する部位における符号は前述の実施例のものを使用する。
【００５８】
前述の実施例では、図１に示すように第一モールド部４１は、回路基板３０の周囲全体と電機子２０の回路基板３０側に密着するが、本実施例では、図２に示すように第一モールド部４１は、回路基板３０の周囲全体と電機子２０の磁極面を除いた周囲全体に密着する構成が相違する。これに伴って、図１の第二モールド部４２は、第一モールド部４１と電機子２０の残りの部位（第一モールド部４１が密着していない部位）に密着するのに対して、図２の第二モールド部４２は、ほとんどが第一モールド部４３に密着する構成についても相違する。
【００５９】
本実施例の電機子ユニット１０においても、前述の実施例と同様に、回路基板３０は、第一及び第二モールド部４１、４２の二層の絶縁層によって周囲全体が覆われているため、同様の効果を有するが、特に、本実施例では、モールド部４０の二層の絶縁層の領域が多くなっているため、回路基板３０だけでなく電機子２０に対しての水等の浸入をより一層防ぐことができる。
【００６０】
さらに、詳細な説明は省略するが、前述の両実施例における電機子２０の磁極面には、露出したままで、第一及び第二モールド部４１、４２の何れも密着していない構成となっているが、第一または第二モールド部４１、４２の何れかによって覆う構成としてもよい。この磁極面は、後述するブラシレスモータの回転部と対向し、露出したままであると回転部との間の間隙を狭くでき、磁気効率を高めることができる。一方で、この磁極面を第一または第二モールド部４１、４２にて覆う構成とすると、その厚み分だけ回転部との間隙が大きくなるため磁気効率が幾分低下するが、磁極面に防錆処理を同時に行うことができる。
【００６１】
＜電機子ユニットの製造方法＞
次に電機子ユニット１０の製造方法の実施例の一形態について、図３乃至図６を参照して説明する。図３は、電機子ユニット１０の製造工程を示すフロー図である。図４乃至図６は、図３のフローにおける金型状態を示す模式図である。ここで軸方向とは、ステータコア２１の積層方向をいう。図５および図６の矢印は、樹脂を流す方向を示している。なお、本製造方法の説明に用いる電機子ユニット１０は、図１に示す実施例のものであるが、図２に示す電機子ユニット１０についても、金型の構成を変更するだけで実質的に同様の製造方法にて製造することができるため、図２の電機子ユニットの製造方法の詳細な説明は省略する。
【００６２】
図４を参照して、第一モールド部４１のモールド成形を行う金型３００には、軸方向下側に配置され、それ自体は固定されている固定側の第一金型部３１０と、第一金型部３１０に対して軸方向上側に配置され、それ自体が少なくとも軸方向に移動可能な可動側の第二金型部３２０と、を備える。
【００６３】
第一金型部３１０には、電機子２０を収容する電機子収容部３１１と、電機子２０のコアバック部２１ａのインシュレータ２３より外周側で外部に露出している円環状の下側露出部２１ａ１およびティース部２１ｂのインシュレータ２３より内周側で外部に露出している下側先端部２１ｂ１と当接することによって電機子２０の軸方向の位置を決定する電機子載置部３１２と、を備える。また第一金型部３１０には、電機子収容部３１１の内側を形成し、ティース部２１ｂの内周面の内径と略一致し、ティース部２１ｂの内周面を挿通可能とする円柱突起３１３が設けられている。この円柱突起３１３によって電機子２０の径方向の位置が決定される。
【００６４】
第二金型部３２０には、回路基板３０を収容する回路基板収容部３２１と、電機子２０のコアバック部２１ａのインシュレータ２３より外周側で外部に露出している円環状の上側露出部２１ａ２および第一金型部３１０と当接する当接部３２２と、樹脂を回路基板収容部３２１に射出するゲート部３２３と、を備える。
【００６５】
第一金型部３１０の円柱突起３１３の上面における回路基板３０と軸方向に対向する位置には、回路基板３０を下側より支える下側支持部３１３ａが設けられる。そして第二金型部３２０には、回路基板収容部３２１の下面における回路基板３０と軸方向に対向する位置には、回路基板３０を上側より押さえる上側支持部３２１ａが設けられる。したがって、電機子２０に固定された回路基板３０は、第一モールド部４１が形成される前の状態では、金型３００内において、インシュレータ２３の外周壁２３ｃおよび下側支持部３１３ａによって軸方向下側より支え、そして、上側支持部３２１ａによって上側から押さえることによって、挟持される（図３のステップＳ１、第一配置工程に相当。）。
【００６６】
この状態において、図５を参照して、第二金型部３２０のゲート部３２３から溶融した樹脂が回路基板収容部３２１に向けて射出されて、固化した後、第一モールド部４１が形成される（図３のステップＳ２、第一成形工程に相当）。ここで、使用する樹脂材料は、熱可塑性樹脂であることが望ましい。また第一モールド部４１では、外観は考慮に入れなくてもよいので、成形性の良い射出成形であることが望ましい。
【００６７】
またこの状態における第一モールド部４１では、下側支持部３１３ａおよび上側支持部３２１ａに対応した位置に下側支持部３１３ａおよび上側支持部３２１ａに対応した形状であり、回路基板３０の下面および上面の一部を外部に露出する貫通孔４１ａ（孔部に相当）が形成されている。
【００６８】
次に図６を参照して、第一モールド部４１を形成した電機子２０および回路基板３０の中間組立体が、第二モールド部４２を成形する金型４００内に配置される（第二配置工程に相当）。金型４００は、軸方向下側に配置され、それ自体は固定されている固定側の第一金型部４１０と、第一金型部４１０より軸方向上側に配置され、それ自体が少なくとも軸方向上側に移動可能な可動側の第二金型部４２０と、を備える。
【００６９】
第一金型部４１０には、電機子２０を収容する電機子収容部４１１と、電機子２０の下側先端部２１ｂ１と当接することによって電機子２０の軸方向の位置を決定する電機子載置部４１２と、ティース部２１ｂの内周面にて形成される仮想円の内径と略同一であり、このティース部２１ｂの内周面に対して挿通可能である円柱突起４１３と、を備える。また電機子収容部４１１は、電機子２０の下端部および外周面と間隙を介して形成されている。そして円柱突起４１３の上面と第一モールド部４１の下面とは、軸方向に間隙を介して対向している。
【００７０】
第二金型部４２０は、第一モールド部４２の周囲を所定の間隙を介して対向する第一モールド収容部４２１と、第一モールド収容部４２１に樹脂を射出するゲート部４２２と、を備える。そして第二金型部４２０は、第一金型部４１０と当接することによって、この第一モールド部４１を形成した回路基板３０と電機子２０との組立体を密閉する。
【００７１】
そして、ゲート部４２２から溶融した樹脂が第一モールド収容部４２１に射出され、固化した後、第二モールド部４２が形成される（図３のステップＳ３、第二成形工程に相当）。ここで、第二モールド部４２に使用される樹脂は熱硬化性樹脂、特にＢＭＣであることが望ましい。ＢＭＣを使用することによって、電機子ユニット１０の放熱性を向上させることができる。また第二モールド部４２の成形は、圧入成形であることが望ましい。圧入成形とすることにより、第二モールド部４２の寸法精度を確保することができる。さらに圧入成形では射出成形と比較して硬度を高く保つことができる。したがって、寸法精度に優れ、傷の付き難い外観をもつことができる。
【００７２】
またステップＳ２の状態において第一モールド部４１に形成された下側支持部３１３ａおよび上側支持部３２１ａに対応した貫通孔４１ａは、ステップＳ３における第二モールド部４２の成形において、第一モールド収容部４２１に射出された樹脂によって埋められる。したがって、回路基板３０は完全に外部からの露出を防ぐことができる。その結果、外部からの油や水等によって回路基板３０が電気的短絡を生じることを防ぐことができる。このとき、第一モールド部４１の成形不良として巣ができる等していても、第二モールド部４２によって埋められるため、第一モールド部４１の成形不良を無くせる。
【００７３】
また第二モールド部４２が第一モールド部４１の周囲を覆う際に、第二モールド部４２は高温であるために、第一モールド部４１の表面が溶融する。したがって第二モールド部４２が第一モールド部４１と固定される際には、第一モールド部４１と第二モールド部４２との境界は密着されている。したがって、この境界より油や水等が浸入することを防ぐことができる。
【００７４】
次に電機子ユニット１０の製造方法の他の実施例の一形態について、図７および８を参照して説明する。図７および図８の矢印は、樹脂を流す方向を示している。本実施例は、前述の実施例との相違点を中心に説明し、同一または相当する部位における符号は前述の実施例のものを使用する。
【００７５】
前述の実施例においては、図４乃至６に示すように、第一および第二成形工程に使用される第二金型部３２０、４２０のゲート部３２３、４２２が回路基板３０の上面であって、射出された樹脂材料が直接当たる位置に設けられている。これに対して、本実施例では、第二金型部３２０のゲート部３２３は、図７に示すように、電機子２０の外周側に位置し、第二金型部４２０のゲート部４２２は、図８に示すように、電機子２０の下側に位置する。つまり、本実施例の製造方法では、ゲート部３２３、４２２が、回路基板３０に対向しないように位置するため、回路基板３０に樹脂が到達した時の射出圧は、前述の実施例の場合に比べて、幾分弱まっている。そのため、回路基板３０に対する負荷が緩和され、回路基板３０の反りや変形、さらには電子部品の実装不良等を防ぐことができる。なお、本実施例の製造方法を採用したかどうかは、第一および第二モールド部４２、４３の表面においてゲート部３２３、４２２に対向する部位に形成されるゲート跡（不図示）によって判別することができる。
【００７６】
＜ブラシレスモータ＞
次に本発明の電機子ユニットを備えたブラシレスモータの実施例の一形態について図９を参照して説明する。ここでの電機子ユニットは、図１に示す電機子ユニット１０を使用するが、図２に示す電機子ユニット１０を適用することもできる。図９は、本発明のブラシレスモータの実施例の一形態を回転軸方向に切った模式断面図である。
【００７７】
図９を参照して、まず回転部について説明する。
【００７８】
シャフト７０は、回転自在に回転し、この回転中心が回転軸Ｊ１となる。そしてシャフト７０には、シャフト７０に固定するようにロータマグネット８０が一体的に成形されている。ロータマグネット８０には、シャフト７０と固定するシャフト固定部８１と電機子２０の内周面と径方向に小さな間隙を介して対向した磁気駆動部８２とが設けられる。
【００７９】
次に固定部について説明する。
【００８０】
電機子ユニット１０は、略円筒形状に形成される。そして円筒部１１の軸方向上側にはロータマグネット８０の磁気駆動部８２より軸方向上側に位置し、磁気駆動部８２の内周面より径方向内側に延びる内側延長部１２が形成されている。そして内側延長部１２の内周縁には、鋼板をプレス加工等の塑性加工によって略円筒形状に形成される上側軸受保持部１３が電機子ユニット１０と一体的にモールド成形されている。上側軸受保持部１３には、軸受部となるボールベアリング５０が保持される。そして上側軸受保持部１３の軸方向上側には、ボールベアリング５０を覆う蓋部１３ａが形成される。またボールベアリング５０と蓋部１３ａとの軸方向の間には、ボールベアリング５０の外輪と当接してボールベアリング５０に予圧を加える予圧バネ９０が配置される。
【００８１】
電機子ユニット１０の円筒部１１の軸方向下側には、鋼板をプレス加工等の塑性加工によって略円筒形状に形成される下側軸受保持部１４が固定されている。下側軸受保持部１４には、ボールベアリング５１が保持される。下側軸受保持部１４には、ボールベアリング５１の軸方向下側の外輪と当接し、ボールベアリング５１に予圧を加える当接部１４ａが形成される。またボールベアリング５０、５１によってシャフト７０は回転自在に回転することができる。
【００８２】
このブラシレスモータに、本発明の電機子ユニット１０を用いることにより、回路基板３０に電気的短絡のない、そして低振動なブラシレスモータを提供することができる。また、この電機子ユニット１０には、上側軸受保持部１３が一体的に設けられているが、第二絶縁層４２にエラストマーを用いると、この第二絶縁層４２を上側軸受保持部１３の外周にまで拡げることによって、緩衝材として使用することができる。
【００８３】
＜ポンプ＞
次に本発明の電機子ユニット１０を備えたポンプの実施例の一形態について図１０を参照して説明する。ここでの電機子ユニット１０は、図１に示す実施例にものを使用する。図１０は本発明のポンプの実施例の一形態を示した軸方向に切った模式断面図である。
【００８４】
図１０を参照して、ポンプは、ポンプ室１００と、ポンプ室１００に収容される回転部２１０およびポンプ室１００に隣接する電機子ユニット１０を備える固定部２２０を備えるモータ２００と、から構成される。
【００８５】
モータ２００は、略有底円筒形状に形成された第一ケーシング１１０の外周面側に固定される固定部２２０と、第一ケーシング１１０の内周面側に配置され、固定部２２０に対して所定の回転軸Ｊ１の周りを回転するロータマグネット２１１を有する回転部２１０とを備える。
【００８６】
固定部２２０の外周側には、外部との電気的接続を可能にするコネクタ２２１が電機子ユニット１０と一体的にモールドされる。このコネクタ２２１は、回路基板３０とも電気的接続をされている。
【００８７】
第一ケーシング１１０の最も軸方向下側に形成される底部１１１には、回転軸Ｊ１と同軸であり、軸方向上側に延びる突起１１２が形成される。その突起１１２の上部には、回転軸Ｊ１と同軸に軸方向上側に向かい開口する凹部１１３が形成される。この凹部１１３には、回転軸Ｊ１と同軸となるシャフト１２０が固定されている。
【００８８】
回転部２１０は、シャフト１２０に挿通され径方向に微小間隙を介して対向して配置される略円筒形状のスリーブ２１２と、スリーブ２１２と一体的に成形され、略円筒形状のロータマグネット２１１を固定する基部２１３と、を備える。そしてロータマグネット２１１の外周面は、電機子２０のティース部２１ｂの内周面と径方向に小さな間隙を介して対向するように配置される。この間隙には、第１ケーシング１１０の円筒部１１４が配置される。この円筒部１１４によって、ロータマグネット２１１と電機子ユニット１０とが隔絶され、固定部２２０側に水等の液体の侵入を防ぐことができる。
【００８９】
またロータマグネット２１１の軸方向の反対側には、複数の羽根にて構成されたインペラ２１４が周方向に等間隔に形成される。
【００９０】
第一ケーシング１１０の軸方向上側には、基部２１３およびインペラ２１４を収容するように第二ケーシング１３０が形成される。第一ケーシング１１０と第二ケーシング１３０とによって囲まれた空間により、ポンプ室１００が形成される。
【００９１】
このポンプに本発明の電機子ユニット１０を用いたことにより、第一ケーシング１１０から水等の液体が漏れたとしても、第二モールド部４２により、回路基板３０は完全に外部に露出しないので、回路基板３０が電気的短絡を生じることを防ぐことができる。したがって、信頼性の高いポンプを提供することができる。
【００９２】
以上、本発明の電機子ユニット１０の構造および製造方法並びに電機子ユニット１０を備えたブラシレスモータおよびポンプの実施例の一形態について説明したが、本発明は上記実施例に限定されることなく、特許請求の範囲内において種々の変形が可能である。
【００９３】
例えば、本発明の電機子ユニット１０では、インシュレータ２３を使用したが、本発明はこれに限定されない。ステータコア２１とコイル２２との電気的短絡を防止することができればよいので、例えば、インシュレータ２３の代わりにステータコア２１の周囲を絶縁塗装してもよい。
【００９４】
また、例えば、本発明の電機子ユニット１０を備えたモータおよびポンプは、上記実施例の形状には限定されない。
【図面の簡単な説明】
【００９５】
【図１】本発明の電機子ユニットの実施例の一形態を示す軸方向に切った模式断面図。
【図２】本発明の電機子ユニットの他の実施例の一形態を示す軸方向に切った模式断面図。
【図３】本発明の電機子ユニットの製造方法の実施例の一形態を示すフロー図。
【図４】図３のフロー図のステップＳ１の状態を示す軸方向に切った模式断面図。
【図５】図３のフロー図のステップＳ２の状態を示す軸方向に切った模式断面図。
【図６】図３のフロー図のステップＳ３の状態を示す軸方向に切った模式断面図。
【図７】本発明の電機子ユニットの製造方法の他の実施例の一形態であって、図３のフロー図のステップＳ２の状態を示す軸方向に切った模式断面図。
【図８】本発明の電機子ユニットの製造方法の他の実施例の一形態であって、図３のフロー図のステップＳ３の状態を示す軸方向に切った模式断面図。
【図９】本発明の電機子ユニットを備えたモータの実施例の一形態を示す軸方向に切った模式断面図。
【図１０】本発明の電機子ユニットを備えたポンプの実施例の一形態を示す軸方向に切った模式断面図。
【図１１】従来の電機子ユニットを示す軸方向に切った模式断面図。
【符号の説明】
【００９６】
１０        電機子ユニット
２０        電機子
２１        ステータコア
２１ａ      コアバック部
２１ｂ      ティース部
２２        コイル
３０        回路基板
４０        モールド部（絶縁部）
４１        第一モールド部（第一絶縁層）
４１ａ      貫通孔
４２        第二モールド部（第二絶縁層）
３１３ａ    下側支持部（支持部）
３２１ａ    上側支持部（支持部）
５０、５１  ボールベアリング（軸受部）
８０        ロータマグネット
１００      ポンプ室
１１０      第一ケーシング
１１４      円筒部
１３０      第二ケーシング
２１０      回転部
２１５      インペラ
２２０      固定部
【図１】
2008109848.tif 000003
【図２】
2008109848.tif 000004
【図３】
2008109848.tif 000005
【図４】
2008109848.tif 000006
【図５】
2008109848.tif 000007
【図６】
2008109848.tif 000008
【図７】
2008109848.tif 000009
【図８】
2008109848.tif 000010
【図９】
2008109848.tif 000011
【図１０】
2008109848.tif 000012
【図１１】
2008109848.tif 000013